(57)【要約】【課題】光源制御システム及びその光源制御方法を提供することを課題とする。【解決手段】本発明は、光源制御システム、及び、その光源制御方法であって、発光装置の制御に用いられる。光源制御システムは、環境状態を検知して環境状態値を得るための環境状態検知モジュールと、データベースを備え、複数の環境状態値に対応する複数のパラメータ値を保存するためのストレージモジュールと、環境状態検知モジュール、及び、ストレージモジュールに電気的に接続し、環境状態値に基づいてストレージモジュール内に保存されている複数のパラメータ値をサーチすることで、制御信号を生成するための制御モジュールと、制御モジュール、及び発光装置に電気的に接続し、制御信号によって発光装置を駆動するための駆動モジュールと、を含む。【選択図】図１
2015097191.tif 000002
【特許請求の範囲】
【請求項１】
発光装置の制御に用いられ、
環境状態を検知して環境状態値を得るための環境状態検知モジュールと、
データベースを備え、複数の環境状態値に対応する複数のパラメータ値を保存するためのストレージモジュールと、
前記環境状態検知モジュール、及び、前記ストレージモジュールに電気的に接続し、前記環境状態値に基づいて前記ストレージモジュール内に保存されている前記複数のパラメータ値をサーチすることで、制御信号を生成するための制御モジュールと、
前記制御モジュール、及び、前記発光装置に電気的に接続し、前記制御信号によって前記発光装置を駆動するための駆動モジュールと、
を含むことを特徴とする光源制御システム。
【請求項２】
前記駆動モジュールは、前記環境状態値に基づいて前記発光装置の発光輝度、或いは、発光色を変更するために用いられることを特徴とする請求項１に記載の光源制御システム。
【請求項３】
前記発光装置は、複数の発光ユニットを備え、前記駆動モジュールが前記環境状態値に基づいて前記発光装置のいずれかの発光輝度、或いは、発光色を変更するために用いられることを特徴とする請求項１に記載の光源制御システム。
【請求項４】
遠隔制御信号を受信して前記発光装置を制御するための前記制御モジュールに電気的に接続する無線伝送モジュールを更に含むことを特徴とする請求項１に記載の光源制御システム。
【請求項５】
無線伝送モジュールは、ブルートゥースモジュールであることを特徴とする請求項４に記載の光源制御システム。
【請求項６】
前記環境状態検知モジュールは、環境温度、環境湿度、又は、環境気圧のいずれか、或いは、これらのいずれか２つ以上の組み合わせを検知するために用いられることを特徴とする請求項１に記載の光源制御システム。
【請求項７】
光源制御システムに用いられて発光装置を制御し、
環境状態を検知して環境状態値を得るステップと、
前記環境状態値に基づいてストレージモジュール内に保存されている複数のパラメータ値をサーチすることで、制御信号を生成するステップと、
前記制御信号によって前記発光装置を駆動するステップと、
を含むことを特徴とする光源制御方法。
【請求項８】
前記環境状態値に基づいて前記発光装置の発光輝度、又は、発光色を変更するステップを更に含むことを特徴とする請求項７に記載の光源制御方法。
【請求項９】
前記発光装置は、複数の発光ユニットを備え、
前記環境状態値に基づいて発光ユニットのいずれかの発光輝度、又は、発光色を変更するステップを更に含むことを特徴とする請求項７に記載の光源制御方法。
【請求項１０】
無線方式で遠隔制御信号を受信して前記発光装置を制御するステップを更に含むことを特徴とする請求項７に記載の光源制御方法。
【請求項１１】
前記環境状態を検知するステップは、環境温度、環境湿度、又は、環境気圧のいずれか、或いは、これらのいずれか２つ以上の組み合わせを検知することを含むことを特徴とする請求項７に記載の光源制御方法。
【発明の詳細な説明】
【技術分野】
【０００１】
本発明は、光源制御システム及びその光源制御方法に関し、特に、環境状態に伴って発光装置を調整できる光源制御システム及びその光源制御方法に関する。
【背景技術】
【０００２】
従来の白熱灯、蛍光灯或いはその他の照明光源に比べて、発光ダイオード（Ｌｉｇｈｔ  Ｅｍｉｔｔｉｎｇ  Ｄｉｏｄｅ、ＬＥＤ）は、低電圧駆動、低温でも発光効率が低下せず、無汚染及び長寿命等といった利点を有し、且つ輝度を制御できるため、異なる消費電力を調整して点灯時間を延長できる。
【０００３】
従来の技術において、ＬＥＤ発光装置を備える制御方式は、基本的に利用者が固定型スイッチで開閉又は明暗を制御し、この制御方式は固定型スイッチの位置の制限を受け、且つ変化に乏しい。ＬＥＤ発光装置に変化が異なる輝度或いは色を発せさせるため、利用者が必ずスイッチの切り替えすることで実現できる。こうすると、ＬＥＤ発光装置の運用が制限を受け、新規性や変化を求める利用者を惹き付けない。
【０００４】
よって、従来の技術の欠陥を解決するため、更に便利で且つ更に自動方式で発光装置を調整できる光源制御システム及びその光源制御方法を発明する必要がある。
【発明の概要】
【発明が解決しようとする課題】
【０００５】
本発明の主な目的は、環境状態に伴って発光装置を調整できる効果を持つ光源制御システムを提供することである。
【０００６】
本発明の別の主な目的は、上記システムに使う光源制御方法を提供することである。
【課題を解決するための手段】
【０００７】
上記目的を達成するため、本発明の光源制御システムが発光装置の制御に用いられ、光源制御システムは、環境状態を検知して環境状態値を得るための環境状態検知モジュールと、データベースを備え、複数の環境状態値に対応する複数のパラメータ値を保存するためのストレージモジュールと、環境状態検知モジュール及びストレージモジュールに電気的に接続し、環境状態値に基づいてストレージモジュール内に保存されている複数のパラメータ値をサーチすることで、制御信号を生成するための制御モジュールと、制御モジュール及び発光装置に電気的に接続し、制御信号によって発光装置を駆動するための駆動モジュールと、を含む。
【０００８】
本発明の光源制御方法は、環境状態を検知して環境状態値を得るステップと、環境状態値に基づいてストレージモジュール内に保存されている複数のパラメータ値をサーチすることで、制御信号を生成するステップと、制御信号によって発光装置を駆動するステップとを含む。
【図面の簡単な説明】
【０００９】
【図１】本発明の光源制御システム構成を示す図である。
【図２】本発明の光源制御方法のステップフローチャートである。
【発明を実施するための形態】
【００１０】
以下、本発明の技術内容を審査官に更に明確に理解してもらうため、具体的実施例を挙げて説明する。
【００１１】
まず図１を参照すると、本発明の光源制御システム構成を示す図である。
【００１２】
本発明の光源制御システム１は、発光装置２の発光輝度或いは発光色を制御又はプログラマブルに制御するために用いられる。発光装置２は、複数の発光ユニット２ａ、２ｂ（図１）を備えることができ、且つ発光ダイオード（Ｌｉｇｈｔ  Ｅｍｉｔｔｉｎｇ  Ｄｉｏｄｅ、ＬＥＤ）を利用して製造できる。例えば発光装置２は、電球、線型照明、パネルライト、テーブルランプ、卓上スタンドライト及び前記タイプの組み合わせとすることができる。ただし、本発明は上記の装置に限られるものではなく、本発明も発光ユニットの数量を制限するものではない。
【００１３】
光源制御システム１は、環境状態検知モジュール１０とストレージモジュール２０と制御モジュール３０と駆動モジュール４０と、を含む。環境状態検知モジュール１０は、発光装置２周囲の環境状態、例えば環境温度、環境湿度、環境気圧の中のいずれか又はこれらのいずれか２つ以上の組み合わせを検知することで、温度、湿度、気圧等の環境状態値を得るために用いられる。ストレージモジュール２０は、データベース２１を備え、複数の環境状態値に対応する複数のパラメータ値２１ａを保存するために用いられる。本発明の実施形態において、環境状態の１度或いは３度ごとに１つのパラメータ値に対応するが、本発明はこれに限られるものではない。制御モジュール３０は、環境状態検知モジュール１０及びストレージモジュール２０に電気的に接続し、環境状態検知モジュール１０で測定した温度、湿度、気圧等の環境状態値に基づいてストレージモジュール２０内に保存されている複数のパラメータ値２１ａをサーチし、対応のパラメータ値を見付け出し、またこれを介して対応の制御信号を生成する。
【００１４】
最後に駆動モジュール４０は、制御モジュール３０及び発光装置２に電気的に接続し、制御モジュール３０で生成した制御信号によって発光装置２を駆動するために用いられる。こうすると、発光装置２は、各種環境状態に基づいて発する発光色或いは発光輝度等を変更できる。このほか、発光装置２は、複数の発光ユニット２ａ、２ｂを備える場合、制御モジュール３０も駆動モジュール４０を制御して温度値に基づいて複数の発光ユニット２ａ、２ｂを同時に変更、若しくは発光ユニット２ａ又は発光ユニット２ｂのいずれかのみの発光輝度或いは発光色を変更することで、より一層様々な変化を実現する。
【００１５】
環境状態検知モジュール１０で検知した環境状態を利用して発光装置２を制御する以外に、本発明の光源制御システム１は、無線伝送モジュール５１或いは有線伝送モジュール５２を更に含む。無線伝送モジュール５１は、制御モジュール３０に電気的に接続し、無線方式で遠隔制御信号を受信するために用いられる。制御モジュール３０は、更に遠隔制御信号によって制御信号を生成し、最後に駆動モジュール４０で発光装置２を制御する。無線伝送モジュール５１は、ブルートゥースモジュールとすることができるが、本発明はこれに限られるものではなく、無線伝送モジュール５１もＷｉＦｉモジュール又は近距離無線通信（Ｎｅａｒ  Ｆｉｅｌｄ  Ｃｏｍｍｕｎｉｃａｔｉｏｎ、ＮＦＣ）モジュール等とすることができる。
【００１６】
上記各モジュールは、ハードウェア装置、ソフトウェアプログラム、ファームウェア或いはこれらの組み合わせとして配置できる以外に、電気回路又はその他の適切なタイプを通じて配置できる。且つ、各モジュールは、単独タイプで配置できる以外に、結合タイプで配置できる。好ましい実施例では、各モジュールがいずれもメモリーに保存されているソフトウェアプログラムで、プロセッサーで各モジュールを実行して本発明の機能を実現する。このほか、本実施形態は、本発明の好ましい実施例を例示するだけで、贅言を避けるため、全ての可能な変化組み合わせを詳細に記載していない。しかしながら、この分野における通常の知識を有する者が、上記各モジュール又は素子が必ず必要というものではなく、且つ本発明を実施するため、他の細かい従来のモジュール又は素子も含む可能性があり、各モジュール又は素子が必要性を見て省略或いは改良でき、またいずれか２つモジュールの間にそのモジュール又は素子が存在していることが理解されるべきである。
【００１７】
次に、図２を参照すると、本発明の光源制御方法のフローチャートである。以下、光源制御システム１を例として本発明の光源制御方法を説明するが、本発明の光源制御方法は上記光源制御システム１の使用に限られるものではない。
【００１８】
まずステップ２０１：環境状態を検知して環境状態値を得る。
【００１９】
まず環境状態検知モジュール１０は、発光装置２周囲の環境状態を検知することで、環境状態値を得るために用いられる。例えば、環境温度、環境湿度或いは環境気圧のいずれか或いはこれらのいずれか２つ以上の組み合わせとするが、本発明はこれに限られるものではない。
【００２０】
次に、ステップ２０２：該環境状態値に基づいてストレージモジュール内に保存されている複数のパラメータ値をサーチすることで、制御信号を生成する。
【００２１】
環境状態検知モジュール１０で状態値を測定した後、次に制御モジュール３０は環境状態検知モジュール１０で測定した状態値に基づいてストレージモジュール２０内に保存されている複数のパラメータ値２１ａをサーチし、対応のパラメータ値を見付け出し、またこれを介して対応の制御信号を生成する。
【００２２】
最後にステップ２０３：該制御信号によって該発光装置を駆動する。
【００２３】
最後に駆動モジュール４０は、制御モジュール３０で生成した制御信号によって発光装置２を駆動し、発光装置２は環境状態に基づいて発する発光色或いは発光輝度等を変更、若しくは発光ユニット２ａ又は発光ユニット２ｂのいずれかのみで発光輝度或いは発光色を変更する。
【００２４】
本発明の光源制御方法は、上記ステップの順序に限られるものではなく、本発明の目的を達成できる、上記ステップの順序も変更できる。このほか、発光装置２も無線伝送モジュール５１で無線方式によって遠隔制御信号を受信して制御でき、本発明は上記ステップに限られるものではない。
【００２５】
本発明の光源制御システム１及び光源制御方法を介して、発光装置２の発光方式に様々な変化を持たせ、利用者も複雑なコマンドを出す必要がないため、利用者にとって便利である。
【００２６】
上記をまとめると、本発明は、目的、手段及び効果を問わず、いずれも従来技術の特徴とは異なり、審査官は、何卒ご審理の上、速やかに特許査定賜りますようお願いする次第であります。ただし、上記の多くの実施例は、説明の便宜のためだけに挙げた例であり、本発明が主張する権利範囲は、上記実施例に限定されることなく、当然特許請求の範囲で記載されるものを基準とする。
【符号の説明】
【００２７】
１  光源制御システム
２  発光装置
２ａ、２ｂ  発光ユニット
１０  環境状態検知モジュール
２０  ストレージモジュール
２１  データベース
２１ａ  複数のパラメータ値
３０  制御モジュール
４０  駆動モジュール
５１  無線伝送モジュール
【図１】
2015097191.tif 000003
【図２】
2015097191.tif 000004